(57)【要約】      （修正有）【課題】突入電流を抑制できる電源装置を提供する。【解決手段】電源装置１は、第１の電圧を平滑コンデンサ１４に出力する第１のコンバータ１３と、電荷を平滑コンデンサ１４にチャージするための第２の電圧を平滑コンデンサ１４に出力する第２のコンバータ１６と、第１のコンバータ１３及び第２のコンバータ１６を制御する制御部２０と、を備える。制御部２０は、起動時に、第２の電圧を平滑コンデンサ１４に出力するように、第２のコンバータ１６を動作させる第１の制御を実行する。その後に、制御部２０は、第１の電圧を平滑コンデンサ１４に出力するように、第１のコンバータ１３を動作させる第２の制御を実行する。【選択図】図３
2020114102.tif 000002
【特許請求の範囲】
【請求項１】
平滑コンデンサと、
第１の電圧を前記平滑コンデンサに出力する第１のコンバータと、
電荷を前記平滑コンデンサにチャージするための第２の電圧を前記平滑コンデンサに出力する第２のコンバータと、
前記第１のコンバータ及び前記第２のコンバータを制御する制御部と、
を備え、
前記制御部は、
起動時に、前記第２の電圧を前記平滑コンデンサに出力するように、前記第２のコンバータを動作させる第１の制御を実行し、その後に、前記第１の電圧を前記平滑コンデンサに出力するように、前記第１のコンバータを動作させる第２の制御を実行する、
ことを特徴とする、電源装置。
【請求項２】
前記第１のコンバータは、
入力電圧を降圧した前記第１の電圧を前記平滑コンデンサに出力する絶縁型コンバータであり、
前記第２のコンバータは、
前記平滑コンデンサの電圧を降圧した第３の電圧を負荷に出力する昇降圧コンバータであり、
前記制御部は、
起動時に、前記負荷の電圧を昇圧した前記第２の電圧を前記平滑コンデンサに出力するように、前記昇降圧コンバータを動作させる前記第１の制御を実行し、その後に、前記第１の電圧を前記平滑コンデンサに出力するように、前記絶縁型コンバータを動作させるとともに、前記第３の電圧を前記負荷に出力するように、前記昇降圧コンバータを動作させる第２の制御を実行する、
ことを特徴とする、請求項１に記載の電源装置。
【請求項３】
前記負荷は、バッテリである、
ことを特徴とする、請求項２に記載の電源装置。
【請求項４】
前記第１のコンバータは、
入力電圧を降圧した前記第１の電圧を前記平滑コンデンサに出力する絶縁型コンバータであり、
前記第２のコンバータは、
前記入力電圧を降圧した前記第２の電圧を前記平滑コンデンサに出力するコンバータであり、
前記制御部は、
起動時に、前記第２の電圧を前記平滑コンデンサに出力するように、前記コンバータを動作させる前記第１の制御を実行し、その後に、前記第１の電圧を前記平滑コンデンサに出力するように、前記絶縁型コンバータを動作させる前記第２の制御を実行する、
ことを特徴とする、請求項１に記載の電源装置。
【請求項５】
前記コンバータの中のトランスの１次巻線には、前記第１の制御の実行時の突入電流を抑制する抵抗が直列に接続されている、
ことを特徴とする、請求項４に記載の電源装置。
【請求項６】
前記絶縁型コンバータの中のトランスと、前記コンバータの中のトランスと、は、１つのコアを共有する、
ことを特徴とする、請求項４又は５に記載の電源装置。
【請求項７】
前記絶縁型コンバータの中のトランスの１次巻線及び２次巻線が巻回される前記コアの脚と、前記コンバータの中の内のトランスの１次巻線及び２次巻線が巻回される前記コアの脚と、は異なる、
ことを特徴とする、請求項６に記載の電源装置。
【請求項８】
前記絶縁型コンバータは、
絶縁型共振コンバータである、
ことを特徴とする、請求項２から７のいずれか１項に記載の電源装置。
【請求項９】
前記制御部は、
前記第１の制御を実行し、前記平滑コンデンサの電圧が予め定められた電圧に達した後に、前記第２の制御を実行する、
ことを特徴とする、請求項１から８のいずれか１項に記載の電源装置。
【請求項１０】
前記制御部は、
前記第１の制御を実行し、予め定められた時間が経過した後に、前記第２の制御を実行する、
ことを特徴とする、請求項１から８のいずれか１項に記載の電源装置。
【請求項１１】
平滑コンデンサと、第１の電圧を前記平滑コンデンサに出力する第１のコンバータと、電荷を前記平滑コンデンサにチャージするための第２の電圧を前記平滑コンデンサに出力する第２のコンバータと、を備える電源装置の制御方法であって、
起動時に、前記第２の電圧を前記平滑コンデンサに出力するように、前記第２のコンバータを動作させる第１のステップと、
前記第１のステップの後に、前記第１の電圧を前記平滑コンデンサに出力するように、前記第１のコンバータを動作させる第２のステップと、
を含むことを特徴とする、電源装置の制御方法。
【発明の詳細な説明】
【技術分野】
【０００１】
本発明は、電源装置及び電源装置の制御方法に関する。
【背景技術】
【０００２】
ＬＬＣ共振を利用したＬＬＣコンバータ（絶縁型共振コンバータ）は、起動時に、出力コンデンサを充電するための非常に大きな突入電流が流れる。この突入電流が、構成素子、例えば、スイッチング素子に流れることが懸念される。装置の小型化のために、動作周波数を高周波数に設定して設計されている場合、共振インダクタの値が小さい。共振インダクタは、突入電流を抑制する働きを有する。従って、共振インダクタの値が小さいと、突入電流を抑制する働きが小さいので、突入電流の影響が更に懸念される。起動時にデューティを低くすることや、動作周波数を上げる等の対策も考えられるが、高周波電源では、デューティの値又は動作周波数の値の変更可能範囲に限界がある。
【０００３】
関連する技術として、特許文献１には、後段の共振コンバータのオンデューティ比を漸増させ、その後、前段の昇降圧コンバータ回路の出力電圧目標値を漸増させる電力変換装置が記載されている。
【先行技術文献】
【特許文献】
【０００４】
【特許文献１】特開２０１６−１６３４７５号公報
【発明の概要】
【発明が解決しようとする課題】
【０００５】
本発明は、突入電流を抑制できる電源装置及び電源装置の制御方法を提供することを目的とする。
【課題を解決するための手段】
【０００６】
本発明の一態様の電源装置は、
平滑コンデンサと、
第１の電圧を前記平滑コンデンサに出力する第１のコンバータと、
電荷を前記平滑コンデンサにチャージするための第２の電圧を前記平滑コンデンサに出力する第２のコンバータと、
前記第１のコンバータ及び前記第２のコンバータを制御する制御部と、
を備え、
前記制御部は、
起動時に、前記第２の電圧を前記平滑コンデンサに出力するように、前記第２のコンバータを動作させる第１の制御を実行し、その後に、前記第１の電圧を前記平滑コンデンサに出力するように、前記第１のコンバータを動作させる第２の制御を実行する、
ことを特徴とする。
【０００７】
前記電源装置において、
前記第１のコンバータは、
入力電圧を降圧した前記第１の電圧を前記平滑コンデンサに出力する絶縁型コンバータであり、
前記第２のコンバータは、
前記平滑コンデンサの電圧を降圧した第３の電圧を負荷に出力する昇降圧コンバータであり、
前記制御部は、
起動時に、前記負荷の電圧を昇圧した前記第２の電圧を前記平滑コンデンサに出力するように、前記昇降圧コンバータを動作させる前記第１の制御を実行し、その後に、前記第１の電圧を前記平滑コンデンサに出力するように、前記絶縁型コンバータを動作させるとともに、前記第３の電圧を前記負荷に出力するように、前記昇降圧コンバータを動作させる第２の制御を実行する、
ことを特徴とする。
【０００８】
前記電源装置において、
前記負荷は、バッテリである、
ことを特徴とする。
【０００９】
前記電源装置において、
前記第１のコンバータは、
入力電圧を降圧した前記第１の電圧を前記平滑コンデンサに出力する絶縁型コンバータであり、
前記第２のコンバータは、
前記入力電圧を降圧した前記第２の電圧を前記平滑コンデンサに出力するコンバータであり、
前記制御部は、
起動時に、前記第２の電圧を前記平滑コンデンサに出力するように、前記コンバータを動作させる前記第１の制御を実行し、その後に、前記第１の電圧を前記平滑コンデンサに出力するように、前記絶縁型コンバータを動作させる前記第２の制御を実行する、
ことを特徴とする。
【００１０】
前記電源装置において、
前記コンバータの中のトランスの１次巻線には、前記第１の制御の実行時の突入電流を抑制する抵抗が直列に接続されている、
ことを特徴とする。
【００１１】
前記電源装置において、
前記絶縁型コンバータの中のトランスと、前記コンバータの中のトランスと、は、１つのコアを共有する、
ことを特徴とする。
【００１２】
前記電源装置において、
前記絶縁型コンバータの中のトランスの１次巻線及び２次巻線が巻回される前記コアの脚と、前記コンバータの中の内のトランスの１次巻線及び２次巻線が巻回される前記コアの脚と、は異なる、
ことを特徴とする。
【００１３】
前記電源装置において、
前記絶縁型コンバータは、
絶縁型共振コンバータである、
ことを特徴とする。
【００１４】
前記電源装置において、
前記制御部は、
前記第１の制御を実行し、前記平滑コンデンサの電圧が予め定められた電圧に達した後に、前記第２の制御を実行する、
ことを特徴とする。
【００１５】
前記電源装置において、
前記制御部は、
前記第１の制御を実行し、予め定められた時間が経過した後に、前記第２の制御を実行する、
ことを特徴とする。
【００１６】
本発明の一態様の電源装置の制御方法は、
平滑コンデンサと、第１の電圧を前記平滑コンデンサに出力する第１のコンバータと、電荷を前記平滑コンデンサにチャージするための第２の電圧を前記平滑コンデンサに出力する第２のコンバータと、を備える電源装置の制御方法であって、
起動時に、前記第２の電圧を前記平滑コンデンサに出力するように、前記第２のコンバータを動作させる第１のステップと、
前記第１のステップの後に、前記第１の電圧を前記平滑コンデンサに出力するように、前記第１のコンバータを動作させる第２のステップと、
を含むことを特徴とする。
【発明の効果】
【００１７】
本発明の一態様の電源装置及び電源装置の制御方法は、突入電流を抑制できるという効果を奏する。
【図面の簡単な説明】
【００１８】
【図１】図１は、比較例の電源装置の回路構成を示す図である。
【図２】図２は、比較例の電源装置の起動時の１次巻線に流れる電流の波形を示す図である。
【図３】図３は、第１の実施の形態の電源装置の回路構成を示す図である。
【図４】図４は、第１の実施の形態の電源装置の起動時の動作を示すフローチャートである。
【図５】図５は、第１の実施の形態の電源装置の起動時の１次巻線に流れる電流の波形を示す図である。
【図６】図６は、第２の実施の形態の電源装置の構成を示す図である。
【図７】図７は、第２の実施の形態の電源装置の起動時の動作を示すフローチャートである。
【図８】図８は、第３の実施の形態の電源装置の回路構成を示す図である。
【図９】図９は、第３の実施の形態の電源装置のトランスのコアの一例を示す図である。
【図１０】図１０は、第３の実施の形態の電源装置のトランスのコアの一例を示す図である。
【図１１】図１１は、第３の実施の形態の電源装置のトランスのコアの他の例を示す図である。
【図１２】図１２は、第３の実施の形態の電源装置のトランスのコアの他の例を示す図である。
【図１３】図１３は、第３の実施の形態の電源装置の起動時の動作を示すフローチャートである。
【図１４】図１４は、第３の実施の形態の変形例の電源装置の構成を示す図である。
【図１５】図１５は、第３の実施の形態の変形例の電源装置の起動時の動作を示すフローチャートである。
【図１６】図１６は、第４の実施の形態の電源装置の構成を示す図である。
【図１７】図１７は、第４の実施の形態の電源装置の起動時の動作を示すフローチャートである。
【図１８】図１８は、第４の実施の形態の変形例の電源装置の構成を示す図である。
【図１９】図１９は、第４の実施の形態の変形例の電源装置の起動時の動作を示すフローチャートである。
【発明を実施するための形態】
【００１９】
以下に、本発明の電源装置及び電源装置の制御方法の実施の形態を図面に基づいて詳細に説明する。なお、この実施の形態により本発明が限定されるものではない。
【００２０】
＜第１の実施の形態＞
以下、第１の実施の形態について説明するが、第１の実施の形態の理解の容易のため、先に比較例について説明する。
【００２１】
（比較例）
［比較例の構成］
図１は、比較例の電源装置の回路構成を示す図である。電源装置１００は、直流の入力電圧Ｖｉｎの供給を電源２から受けて、直流の出力電圧Ｖｏｕｔを負荷３に出力する。
【００２２】
電源装置１００は、入力電圧Ｖｉｎが電源２から供給される第１の入力端子４１及び第２の入力端子４２を含む。
【００２３】
電源装置１００は、出力電圧Ｖｏｕｔを負荷３に出力する第１の出力端子４３及び第２の出力端子４４を含む。
【００２４】
電源装置１００は、入力電圧Ｖｉｎを平滑化する入力コンデンサ１１を含む。入力コンデンサ１１は、第１の入力端子４１と第２の入力端子４２との間に電気的に接続されている。
【００２５】
電源装置１００は、入力電圧Ｖｉｎを検出する第１の電圧検出器１２を含む。第１の電圧検出器１２は、入力コンデンサ１１の両端間に電気的に接続されている。
【００２６】
電源装置１は、絶縁型共振コンバータ１３を含む。絶縁型共振コンバータ１３は、フルブリッジＬＬＣコンバータとするが、本開示はこれに限定されない。
【００２７】
絶縁型共振コンバータ１３は、第１のスイッチ素子Ｑ１から第４のスイッチ素子Ｑ４（例えば、Ｎチャネル型電界効果トランジスタ（ＭＯＳＦＥＴ））までを含む。
【００２８】
なお、第１のスイッチ素子Ｑ１から第４のスイッチ素子Ｑ４までがＮチャネル型ＭＯＳＦＥＴであることとしたが、本開示はこれに限定されない。第１のスイッチ素子Ｑ１から第４のスイッチ素子Ｑ４までは、シリコンパワーデバイス、ＧａＮパワーデバイス、ＳｉＣパワーデバイス、ＩＧＢＴ（Insulated  Gate  Bipolar  Transistor）などでも良い。
【００２９】
第１のスイッチ素子Ｑ１から第４のスイッチ素子Ｑ４までは、第１の寄生ダイオード（ボディダイオード）Ｄ１から第４の寄生ダイオードＤ４までを、夫々有する。寄生ダイオードとは、ＭＯＳＦＥＴのバックゲートとソース及びドレインとの間のｐｎ接合である。第１の寄生ダイオードＤ１から第４の寄生ダイオードＤ４までは、第１のスイッチ素子Ｑ１から第４のスイッチ素子Ｑ４までのオフ時の過渡的な逆起電力を逃すためのフリーホイールダイオードとして利用可能である。
【００３０】
絶縁型共振コンバータ１３は、第１のトランスＴＲ１を含む。第１のトランスＴＲ１は、１次巻線３１、２次巻線３２及びコア３３を含む。１次巻線３１及び２次巻線３２は、コア３３に巻回されている。
【００３１】
１次巻線３１は、漏れインダクタンスＬｒと、キャパシタンスＣｒと、励磁インダクタンスＬｍと、を含む。１次巻線３１の一端は、第１のノードＮ１に電気的に接続されている。１次巻線３１の他端は、第２のノードＮ２に電気的に接続されている。
【００３２】
第１のノードＮ１は、第１のスイッチ素子Ｑ１のソース−ドレイン経路を介して、第１の入力端子４１に電気的に接続されている。また、第１のノードＮ１は、第２のスイッチ素子Ｑ２のドレイン−ソース経路を介して、第２の入力端子４２に電気的に接続されている。
【００３３】
第２のノードＮ２は、第３のスイッチ素子Ｑ３のソース−ドレイン経路を介して、第１の入力端子４１に電気的に接続されている。また、第２のノードＮ２は、第４のスイッチ素子Ｑ４のドレイン−ソース経路を介して、第２の入力端子４２に電気的に接続されている。
【００３４】
絶縁型共振コンバータ１３は、２次巻線３２に発生する交流電圧を全波整流するダイオードブリッジ３４を含む。ダイオードブリッジ３４は、第１のダイオードＤ１１から第４のダイオードＤ１４までを含む。
【００３５】
第１のダイオードＤ１１のアノードは、２次巻線３２の一端に電気的に接続されている。第１のダイオードＤ１１のカソードは、第１の出力端子４３に電気的に接続されている。
【００３６】
第２のダイオードＤ１２のカソードは、２次巻線３２の一端に電気的に接続されている。第２のダイオードＤ１２のアノードは、第２の出力端子４４に電気的に接続されている。
【００３７】
第３のダイオードＤ１３のアノードは、２次巻線３２の他端に電気的に接続されている。第３のダイオードＤ１３のカソードは、第１の出力端子４３に電気的に接続されている。
【００３８】
第４のダイオードＤ１４のカソードは、２次巻線３２の他端に電気的に接続されている。第４のダイオードＤ１４のアノードは、第２の出力端子４４に電気的に接続されている。
【００３９】
電源装置１００は、ダイオードブリッジ３４の出力電圧、即ち出力電圧Ｖｏｕｔを平滑化する、平滑コンデンサ１４を含む。平滑コンデンサ１４は、第１の出力端子４３と第２の出力端子４４との間に、電気的に接続されている。
【００４０】
電源装置１００は、ダイオードブリッジ３４の出力電圧、即ち出力電圧Ｖｏｕｔを検出する第２の電圧検出器１５を含む。第２の電圧検出器１５は、平滑コンデンサ１４の両端間に電気的に接続されている。
【００４１】
電源装置１００は、制御部１０１を含む。制御部１０１は、ＣＰＵ（Central  Processing  Unit）とプログラムを利用して、実現可能である。また、制御部１０１は、ハードウェア回路で、実現可能である。
【００４２】
制御部１０１は、入力電圧Ｖｉｎ及び出力電圧Ｖｏｕｔに基づいて、第１のスイッチ素子Ｑ１から第４のスイッチ素子Ｑ４までのゲート−ソース間の電圧を制御することにより、第１のスイッチ素子Ｑ１から第４のスイッチ素子Ｑ４までのスイッチング動作を制御する。制御部１０１は、ＰＷＭ（Pulse  Width  Modulation）信号である、第１のゲートパルス信号Ｐ１から第４のゲートパルス信号Ｐ４までを、第１のスイッチ素子Ｑ１から第４のスイッチ素子Ｑ４までのゲートに、夫々出力する。なお、第１のゲートパルス信号Ｐ１から第４のゲートパルス信号Ｐ４までには、デッドタイムが設定されている。デッドタイムは、１ｎｓから１０ｎｓ程度が例示されるが、本開示はこれに限定されない。
【００４３】
［比較例の定常時の動作］
電源装置１００の定常時の動作について、説明する。
【００４４】
制御部１０１は、あるタイミングで、第１のスイッチ素子Ｑ１及び第４のスイッチ素子Ｑ４をオン状態に制御する。このとき、第１の入力端子４１→第１のスイッチ素子Ｑ１→第１のノードＮ１→１次巻線３１→第２のノードＮ２→第４のスイッチ素子Ｑ４→第２の入力端子４２の経路に電流が流れる。
【００４５】
次に、制御部１０１は、デッドタイム経過後のタイミングで、第２のスイッチ素子Ｑ２及び第３のスイッチ素子Ｑ３をオン状態に制御する。このとき、第１の入力端子４１→第３のスイッチ素子Ｑ３→第２のノードＮ２→１次巻線３１→第１のノードＮ１→第２のスイッチ素子Ｑ２→第２の入力端子４２の経路に電流が流れる。
【００４６】
制御部１０１は、上記の制御動作を繰り返す。これにより、１次巻線３１には、交流電圧が印加され、２次巻線３２には、交流電圧が発生する。ダイオードブリッジ３４は、２次巻線３２に発生した交流電圧を直流電圧に整流して、平滑コンデンサ１４に出力する。
【００４７】
制御部１０１は、第１のゲートパルス信号Ｐ１から第４のゲートパルス信号Ｐ４までのデューティやスイッチング周波数を変えることで、出力電圧Ｖｏｕｔを目標電圧に制御できる。
【００４８】
［比較例の起動時の動作］
電源装置１００の起動時の動作について、説明する。制御部１０１は、制御信号Ｓ１が供給されたら、上記した制御動作を開始する。
【００４９】
起動時（コールドブート時）に、平滑コンデンサ１４に電荷が蓄積されていないことが考えられる。この場合、絶縁型共振コンバータ１３が電圧の出力を開始すると、平滑コンデンサ１４に大きな突入電流が流れる。
【００５０】
図２は、比較例の電源装置の起動時の１次巻線に流れる電流の波形を示す図である。波形１１１で示す突入電流により、絶縁型共振コンバータ１３を構成するスイッチ素子（例えば、第１のスイッチ素子Ｑ１から第４のスイッチ素子Ｑ４）等の各素子に大きな電流が流れることが懸念される。これにより、各素子がダメージを受けることが懸念される。
【００５１】
（第１の実施の形態）
［第１の実施の形態の構成］
図３は、第１の実施の形態の電源装置の回路構成を示す図である。電源装置１の構成要素のうち、電源装置１００と同一の構成要素については、同一の参照符号を付して、説明を省略する。
【００５２】
電源装置１は、電源装置１００と比較して、昇降圧コンバータ１６と、出力コンデンサ１７と、第３の電圧検出器１８と、を更に含む。また、電源装置１は、電源装置１００と比較して、制御部１０１に代えて、制御部２０を含む。
【００５３】
絶縁型共振コンバータ１３が、本開示の「第１のコンバータ」に対応する。昇降圧コンバータ１６が、本開示の「第２のコンバータ」に対応する。
【００５４】
絶縁型共振コンバータ１３は、入力電圧Ｖｉｎを降圧して電圧Ｖｂｕｓを平滑コンデンサ１４に出力する。昇降圧コンバータ１６は、平滑コンデンサ１４の電圧Ｖｂｕｓを降圧して出力電圧Ｖｏｕｔを負荷３に出力する。
【００５５】
第１の実施の形態では、負荷３は、電圧を出力できるものとする。負荷３は、バッテリが例示されるが、本開示はこれに限定されない。
【００５６】
電圧Ｖｂｕｓが、本開示の「第１の電圧」に対応する。後述する、昇降圧コンバータ１６が負荷３の電圧を昇圧した電圧が、本開示の「第２の電圧」に対応する。出力電圧Ｖｏｕｔが、本開示の「第３の電圧」に対応する。
【００５７】
昇降圧コンバータ１６は、同期整流型の昇降圧チョッパとするが、本開示はこれに限定されない。
【００５８】
昇降圧コンバータ１６は、第５のスイッチ素子Ｑ５と、第６のスイッチ素子Ｑ６と、インダクタＬ１と、を含む。
【００５９】
なお、第５のスイッチ素子Ｑ５及び第６のスイッチ素子Ｑ６がＮチャネル型ＭＯＳＦＥＴであることとしたが、本開示はこれに限定されない。第５のスイッチ素子Ｑ５及び第６のスイッチ素子Ｑ６は、シリコンパワーデバイス、ＧａＮパワーデバイス、ＳｉＣパワーデバイス、ＩＧＢＴなどでも良い。
【００６０】
第５のスイッチ素子Ｑ５及び第６のスイッチ素子Ｑ６は、第５の寄生ダイオード（ボディダイオード）Ｄ５及び第６の寄生ダイオードＤ６を、夫々有する。
【００６１】
第５のスイッチ素子Ｑ５のドレインは、第１のダイオードＤ１１及び第３のダイオードＤ１３のカソードに電気的に接続されている。
【００６２】
第６のスイッチ素子Ｑ６のドレインは、第５のスイッチ素子Ｑ５のソースに電気的に接続されている。第６のスイッチ素子Ｑ６のソースは、第２のダイオードＤ１２及び第４のダイオードＤ１４のアノードに電気的に接続されている。
【００６３】
インダクタＬ１の一端は、第５のスイッチ素子Ｑ５のソース及び第６のスイッチ素子Ｑ６のドレインに電気的に接続されている。インダクタＬ１の他端は、第１の出力端子４３に電気的に接続されている。
【００６４】
昇降圧コンバータ１６は、図３中の左側から右側への向き（絶縁型共振コンバータ１３側から負荷３側への向き）に見たときは、降圧コンバータ（降圧チョッパ）の回路構成と等価である。一方、昇降圧コンバータ１６は、図３中の右側から左側への向き（負荷３側から絶縁型共振コンバータ１３側への向き）に見たときは、昇圧コンバータ（昇圧チョッパ）の回路構成と等価である。
【００６５】
昇降圧コンバータ１６は、第５のスイッチ素子Ｑ５のゲートに入力される第５のゲートパルス信号Ｐ５と、第６のスイッチ素子Ｑ６のゲートに入力される第６のゲートパルス信号Ｐ６と、のデューティやスイッチング周波数を変えることで、昇圧動作と降圧動作とを変更可能である。
【００６６】
出力コンデンサ１７は、昇降圧コンバータ１６の出力電圧、即ち出力電圧Ｖｏｕｔを平滑化する。出力コンデンサ１７は、第１の出力端子４３と第２の出力端子４４との間に、電気的に接続されている。
【００６７】
第３の電圧検出器１８は、昇降圧コンバータ１６の出力電圧、即ち出力電圧Ｖｏｕｔを検出する。第３の電圧検出器１８は、出力コンデンサ１７の両端間に電気的に接続されている。
【００６８】
制御部２０は、第１駆動部２１と、第２駆動部２２と、閾値電圧記憶部２３と、駆動制御部２４と、を含む。制御部２０は、ＣＰＵとプログラムを利用して、実現可能である。また、制御部２０は、ハードウェア回路で、実現可能である。
【００６９】
第１駆動部２１は、入力電圧Ｖｉｎ及び平滑コンデンサ１４の電圧Ｖｂｕｓに基づいて、第１のスイッチ素子Ｑ１から第４のスイッチ素子Ｑ４までのゲート−ソース間の電圧を制御することにより、第１のスイッチ素子Ｑ１から第４のスイッチ素子Ｑ４までのスイッチング動作を制御する。第１駆動部２１は、ＰＷＭ信号である、第１のゲートパルス信号Ｐ１から第４のゲートパルス信号Ｐ４までを、第１のスイッチ素子Ｑ１から第４のスイッチ素子Ｑ４までのゲートに、夫々出力する。なお、第１のゲートパルス信号Ｐ１から第４のゲートパルス信号Ｐ４までには、デッドタイムが設定されている。デッドタイムは、１ｎｓから１０ｎｓ程度が例示されるが、本開示はこれに限定されない。
【００７０】
第１駆動部２１は、第１のゲートパルス信号Ｐ１から第４のゲートパルス信号Ｐ４までのデューティやスイッチング周波数を変えることで、電圧Ｖｂｕｓを第１の目標電圧に制御できる。
【００７１】
第２駆動部２２は、平滑コンデンサ１４の電圧Ｖｂｕｓ及び出力電圧Ｖｏｕｔに基づいて、第５のスイッチ素子Ｑ５及び第６のスイッチ素子Ｑ６のゲート−ソース間の電圧を制御することにより、第５のスイッチ素子Ｑ５及び第６のスイッチ素子Ｑ６のスイッチング動作を制御する。第２駆動部２２は、ＰＷＭ信号である、第５のゲートパルス信号Ｐ５及び第６のゲートパルス信号Ｐ６を、第５のスイッチ素子Ｑ５及び第６のスイッチ素子Ｑ６のゲートに、夫々出力する。なお、第５のゲートパルス信号Ｐ５及び第６のゲートパルス信号Ｐ６には、デッドタイムが設定されている。デッドタイムは、１ｎｓから１０ｎｓ程度が例示されるが、本開示はこれに限定されない。
【００７２】
第２駆動部２２は、第５のゲートパルス信号Ｐ５及び第６のゲートパルス信号Ｐ６のデューティやスイッチング周波数を変えることで、出力電圧Ｖｏｕｔを第２の目標電圧に制御できる。
【００７３】
閾値電圧記憶部２３は、予め定められた閾値電圧Ｖｔｈを記憶する。閾値電圧Ｖｔｈは、有線通信又は無線通信経由で書き換え可能であっても良い。閾値電圧Ｖｔｈは、第１の目標電圧と同じであることが例示されるが、本開示はこれに限定されない。閾値電圧Ｖｔｈは、第１の目標電圧より低くても良いし、高くても良い。
【００７４】
駆動制御部２４は、制御信号Ｓ０に基づいて、第１駆動部２１及び第２駆動部２２を制御する。
【００７５】
［第１の実施の形態の昇降圧コンバータの降圧時の動作］
電源装置１全体の動作説明に先立って、昇降圧コンバータ１６の降圧時の動作について説明する。
【００７６】
第２駆動部２２は、あるタイミングで、第５のスイッチ素子Ｑ５をオン状態に制御する。このとき、平滑コンデンサ１４の高電位側の端子→第５のスイッチ素子Ｑ５→インダクタＬ１→出力コンデンサ１７→平滑コンデンサ１４の低電位側の端子の経路に電流が流れ、インダクタＬ１に電磁エネルギが蓄積される。
【００７７】
次に、第２駆動部２２は、デッドタイム経過後のタイミングで、第６のスイッチ素子Ｑ６をオン状態に制御する。このとき、インダクタＬ１→出力コンデンサ１７→第６のスイッチ素子Ｑ６→インダクタＬ１の経路に電流が流れ、インダクタＬ１に蓄積された電磁エネルギが出力コンデンサ１７に出力される。
【００７８】
第２駆動部２２は、上記の制御動作を繰り返す。これにより、昇降圧コンバータ１６は、平滑コンデンサ１４の電圧Ｖｂｕｓを降圧して出力電圧Ｖｏｕｔを負荷３に出力する。
【００７９】
［第１の実施の形態の昇降圧コンバータの昇圧時の動作］
昇降圧コンバータ１６の昇圧時の動作について説明する。
【００８０】
第２駆動部２２は、あるタイミングで、第６のスイッチ素子Ｑ６をオン状態に制御する。このとき、負荷３の高電位側の端子→インダクタＬ１→第６のスイッチ素子Ｑ６→出力コンデンサ１７の低電位側の端子の経路に電流が流れ、インダクタＬ１に電磁エネルギが蓄積される。
【００８１】
次に、第２駆動部２２は、デッドタイム経過後のタイミングで、第５のスイッチ素子Ｑ５をオン状態に制御する。このとき、負荷３の高電位側の端子→インダクタＬ１→第５のスイッチ素子Ｑ５→平滑コンデンサ１４→出力コンデンサ１７の低電位側の端子の経路に電流が流れ、インダクタＬ１に蓄積された電磁エネルギが平滑コンデンサ１４に出力される。
【００８２】
第２駆動部２２は、上記の制御動作を繰り返す。これにより、昇降圧コンバータ１６は、負荷３の電圧を昇圧して平滑コンデンサ１４に出力する。
【００８３】
［第１の実施の形態の電源装置の定常時の動作］
電源装置１の定常時の動作について、説明する。
【００８４】
第１駆動部２１は、あるタイミングで、第１のスイッチ素子Ｑ１及び第４のスイッチ素子Ｑ４をオン状態に制御する。次に、第１駆動部２１は、デッドタイム経過後のタイミングで、第２のスイッチ素子Ｑ２及び第３のスイッチ素子Ｑ３をオン状態に制御する。第１駆動部２１は、上記の制御動作を繰り返す。これにより、１次巻線３１には、交流電圧が印加され、２次巻線３２には、交流電圧が発生する。ダイオードブリッジ３４は、２次巻線３２に発生した交流電圧を直流電圧に整流して、平滑コンデンサ１４に出力する。
【００８５】
第１駆動部２１は、第１のゲートパルス信号Ｐ１から第４のゲートパルス信号Ｐ４までのデューティやスイッチング周波数を変えることで、平滑コンデンサ１４の電圧Ｖｂｕｓを第１の目標電圧に制御できる。
【００８６】
第２駆動部２２は、あるタイミングで、第５のスイッチ素子Ｑ５をオン状態に制御する。次に、第２駆動部２２は、デッドタイム経過後のタイミングで、第６のスイッチ素子Ｑ６をオン状態に制御する。第２駆動部２２は、上記の制御動作を繰り返す。これにより、昇降圧コンバータ１６は、平滑コンデンサ１４の電圧Ｖｂｕｓを降圧して、出力コンデンサ１７に出力する。
【００８７】
第２駆動部２２は、第５のゲートパルス信号Ｐ５及び第６のゲートパルス信号Ｐ６のデューティやスイッチング周波数を変えることで、出力電圧Ｖｏｕｔを第２の目標電圧に制御できる。
【００８８】
［第１の実施の形態の電源装置の起動時の動作］
電源装置１の起動時の動作について、説明する。
【００８９】
図４は、第１の実施の形態の電源装置の起動時の動作を示すフローチャートである。
【００９０】
制御部２０は、制御信号Ｓ０が供給されたら、制御動作を開始する。
【００９１】
駆動制御部２４は、ステップＳ１００において、制御信号Ｓ１を第２駆動部２２に出力する。第２駆動部２２は、制御信号Ｓ１が入力されたら、負荷３の電圧を昇圧した電圧を平滑コンデンサ１４に出力するように、昇降圧コンバータ１６を動作させる。
【００９２】
第２駆動部２２は、あるタイミングで、第６のスイッチ素子Ｑ６をオン状態に制御する。次に、第２駆動部２２は、デッドタイム経過後のタイミングで、第５のスイッチ素子Ｑ５をオン状態に制御する。第２駆動部２２は、上記の制御動作を繰り返す。
【００９３】
昇降圧コンバータ１６は、負荷３の電圧を昇圧した電圧を、平滑コンデンサ１４に出力する。これにより、平滑コンデンサ１４に電荷が蓄積される。
【００９４】
負荷３の電圧を昇圧した電圧が、本開示の「第２の電圧」に対応する。
【００９５】
駆動制御部２４は、ステップＳ１０２において、平滑コンデンサ１４の電圧Ｖｂｕｓが閾値電圧Ｖｔｈに達したか否かを判定し、達していないと判定した場合には（ステップＳ１０２でＮｏ）、ステップＳ１０２で待機する。駆動制御部２４は、平滑コンデンサ１４の電圧が閾値電圧Ｖｔｈに達したと判定した場合には（ステップＳ１０２でＹｅｓ）、処理をステップＳ１０４に進める。
【００９６】
駆動制御部２４は、ステップＳ１０４において、制御信号Ｓ２を第１駆動部２１に出力するとともに、制御信号Ｓ３を第２駆動部２２に出力する。第１駆動部２１は、制御信号Ｓ２が駆動制御部２４から入力されたら、入力電圧Ｖｉｎを降圧した電圧を平滑コンデンサ１４に出力するように、絶縁型共振コンバータ１３を動作させる。第１駆動部２１は、第１のゲートパルス信号Ｐ１から第４のゲートパルス信号Ｐ４までを第１のスイッチ素子Ｑ１から第４のスイッチ素子Ｑ４までに夫々出力する。
【００９７】
絶縁型共振コンバータ１３は、入力電圧Ｖｉｎを降圧した電圧を、平滑コンデンサ１４に出力する。このとき、平滑コンデンサ１４には電荷が蓄積されているので、突入電流が抑制される。
【００９８】
一方、第２駆動部２２は、制御信号Ｓ３が駆動制御部２４から入力されたら、平滑コンデンサ１４の電圧Ｖｂｕｓを降圧した電圧を負荷３に出力するように、昇降圧コンバータ１６を動作させる。第２駆動部２２は、第５のゲートパルス信号Ｐ５及び第６のゲートパルス信号Ｐ６を第５のスイッチ素子Ｑ５及び第６のスイッチ素子Ｑ６に夫々出力する。昇降圧コンバータ１６は、平滑コンデンサ１４の電圧を降圧した電圧を、負荷３に出力する。
【００９９】
その後、制御部２０は、定常時の動作に移行する。
【０１００】
図５は、第１の実施の形態の電源装置の起動時の１次巻線に流れる電流の波形を示す図である。波形１２１を波形１１１（図２参照）と比較すると、絶縁型共振コンバータ１３を構成するスイッチ素子等の各素子に大きな突入電流が流れることが抑制される。
【０１０１】
［まとめ］
以上説明したように、電源装置１は、起動時に、負荷３の電圧を昇圧した電圧を平滑コンデンサ１４に出力して、平滑コンデンサ１４に電荷を蓄積する。これにより、電源装置１は、突入電流を抑制することができる。従って、電源装置１は、各素子（例えば、第１のスイッチ素子Ｑ１から第４のスイッチ素子Ｑ４）がダメージを受けることを抑制することができる。
【０１０２】
＜第２の実施の形態＞
（第２の実施の形態の構成）
図６は、第２の実施の形態の電源装置の構成を示す図である。電源装置１Ａの構成要素のうち、電源装置１と同一の構成要素については、同一の参照符号を付して、説明を省略する。
【０１０３】
電源装置１Ａは、電源装置１と比較して、第２の電圧検出器１５を含んでいない。また、電源装置１Ａは、電源装置１と比較して、制御部２０に代えて、制御部２０Ａを含む。制御部２０Ａは、制御部２０と比較して、閾値電圧記憶部２３に代えて、閾値時間記憶部２３Ａを含み、駆動制御部２４に代えて、駆動制御部２４Ａを含む。
【０１０４】
絶縁型共振コンバータ１３が、本開示の「第１のコンバータ」に対応する。昇降圧コンバータ１６が、本開示の「第２のコンバータ」に対応する。
【０１０５】
電圧Ｖｂｕｓが、本開示の「第１の電圧」に対応する。昇降圧コンバータ１６が負荷３の電圧を昇圧した電圧が、本開示の「第２の電圧」に対応する。出力電圧Ｖｏｕｔが、本開示の「第３の電圧」に対応する。
【０１０６】
平滑コンデンサ１４の電圧Ｖｂｕｓは、最終的に負荷３に印加される電圧ではない。従って、電源装置１Ａの定常時において、平滑コンデンサ１４の電圧Ｖｂｕｓは、必ずしも、第１の目標電圧に厳密に制御される必要はない。つまり、平滑コンデンサ１４の電圧Ｖｂｕｓは、必ずしも計測されなくても良い。
【０１０７】
また、電源装置１Ａの起動時において、平滑コンデンサ１４の電圧Ｖｂｕｓは、負荷３の電圧と平滑コンデンサ１４の静電容量に応じて、上昇する。従って、平滑コンデンサ１４の電圧Ｖｂｕｓが第１の目標電圧に達する時間は、予め計算しておくことができる。
【０１０８】
つまり、平滑コンデンサ１４の電圧Ｖｂｕｓは、必ずしも計測されなくても良い。そこで、電源装置１Ａは、第２の電圧検出器１５を含んでいない。
【０１０９】
閾値時間記憶部２３Ａは、予め定められた閾値時間Ｔｔｈを記憶する。閾値時間Ｔｔｈは、有線通信又は無線通信経由で書き換え可能であっても良い。閾値時間Ｔｔｈは、負荷３の電圧と平滑コンデンサ１４の静電容量に応じて、定められる。例えば、閾値時間Ｔｔｈは、平滑コンデンサ１４の電圧が第１の目標電圧に達するまでの時間としても良いが、本開示はこれに限定されない。
【０１１０】
電源装置１Ａの定常時の動作は、電源装置１の定常時の動作と同様であるので、説明を省略する。
【０１１１】
（第２の実施の形態の電源装置の起動時の動作）
電源装置１Ａの起動時の動作について、説明する。
【０１１２】
図７は、第２の実施の形態の電源装置の起動時の動作を示すフローチャートである。
【０１１３】
制御部２０Ａは、制御信号Ｓ０が供給されたら、制御動作を開始する。
【０１１４】
駆動制御部２４Ａは、ステップＳ２００において、制御信号Ｓ１を第２駆動部２２に出力する。第２駆動部２２は、制御信号Ｓ１が入力されたら、負荷３の電圧を昇圧した電圧を平滑コンデンサ１４に出力するように、昇降圧コンバータ１６を動作させる。
【０１１５】
第２駆動部２２は、あるタイミングで、第６のスイッチ素子Ｑ６をオン状態に制御する。次に、第２駆動部２２は、デッドタイム経過後のタイミングで、第５のスイッチ素子Ｑ５をオン状態に制御する。第２駆動部２２は、上記の制御動作を繰り返す。
【０１１６】
昇降圧コンバータ１６は、負荷３の電圧を昇圧した電圧を、平滑コンデンサ１４に出力する。これにより、平滑コンデンサ１４に電荷が蓄積される。
【０１１７】
負荷３の電圧を昇圧した電圧が、本開示の「第２の電圧」に対応する。
【０１１８】
駆動制御部２４Ａは、ステップＳ２０２において、閾値時間Ｔｔｈが経過したか否かを判定し、経過していないと判定した場合には（ステップＳ２０２でＮｏ）、ステップＳ２０２で待機する。駆動制御部２４Ａは、閾値時間Ｔｔｈが経過したと判定した場合には（ステップＳ２０２でＹｅｓ）、処理をステップＳ２０４に進める。
【０１１９】
駆動制御部２４Ａは、ステップＳ２０４において、制御信号Ｓ２を第１駆動部２１に出力するとともに、制御信号Ｓ３を第２駆動部２２に出力する。第１駆動部２１は、制御信号Ｓ２が駆動制御部２４Ａから入力されたら、入力電圧Ｖｉｎを降圧した電圧を平滑コンデンサ１４に出力するように、絶縁型共振コンバータ１３を動作させる。第１駆動部２１は、第１のゲートパルス信号Ｐ１から第４のゲートパルス信号Ｐ４までを第１のスイッチ素子Ｑ１から第４のスイッチ素子Ｑ４までに夫々出力する。
【０１２０】
絶縁型共振コンバータ１３は、入力電圧Ｖｉｎを降圧した電圧を、平滑コンデンサ１４に出力する。このとき、平滑コンデンサ１４には電荷が蓄積されているので、突入電流が抑制される。
【０１２１】
一方、第２駆動部２２は、制御信号Ｓ３が駆動制御部２４Ａから入力されたら、平滑コンデンサ１４の電圧Ｖｂｕｓを降圧した電圧を負荷３に出力するように、昇降圧コンバータ１６を動作させる。第２駆動部２２は、第５のゲートパルス信号Ｐ５及び第６のゲートパルス信号Ｐ６を第５のスイッチ素子Ｑ５及び第６のスイッチ素子Ｑ６に夫々出力する。昇降圧コンバータ１６は、平滑コンデンサ１４の電圧を降圧した電圧を、負荷３に出力する。
【０１２２】
その後、制御部２０Ａは、定常時の動作に移行する。
【０１２３】
（まとめ）
以上説明したように、電源装置１Ａは、起動時に、負荷３の電圧を昇圧した電圧を平滑コンデンサ１４に出力して、平滑コンデンサ１４に電荷を蓄積する。これにより、電源装置１Ａは、突入電流を抑制することができる。従って、電源装置１Ａは、各素子（例えば、第１のスイッチ素子Ｑ１から第４のスイッチ素子Ｑ４）がダメージを受けることを抑制することができる。
【０１２４】
また、電源装置１Ａは、第２の電圧検出器１５を不要にすることができる。これにより、電源装置１Ａは、部品点数を削減し、実装面積を抑制し、コストを低減することができる。
【０１２５】
（第３の実施の形態）
［第３の実施の形態の構成］
図８は、第３の実施の形態の電源装置の回路構成を示す図である。電源装置１Ｂの構成要素のうち、電源装置１、１Ａ、又は、１００と同一の構成要素については、同一の参照符号を付して、説明を省略する。
【０１２６】
電源装置１Ｂは、電源装置１００と比較して、コンバータ５０を更に含む。また、電源装置１は、電源装置１００と比較して、制御部１０１に代えて、制御部２０Ｂを含む。
【０１２７】
コンバータ５０は、入力電圧Ｖｉｎを降圧した電圧を、平滑コンデンサ１４に出力する。
【０１２８】
絶縁型共振コンバータ１３が、本開示の「第１のコンバータ」に対応する。コンバータ５０が、本開示の「第２のコンバータ」に対応する。
【０１２９】
絶縁型共振コンバータ１３が入力電圧Ｖｉｎを降圧した電圧が、本開示の「第１の電圧」に対応する。コンバータ５０が入力電圧Ｖｉｎを降圧した電圧が、本開示の「第２の電圧」に対応する。
【０１３０】
コンバータ５０は、抵抗５１と、第２のトランスＴＲ２と、第７のスイッチ素子Ｑ７と、ダイオードＤ２１と、コンデンサ５２と、を含む。
【０１３１】
第２のトランスＴＲ２は、１次巻線５３と、２次巻線５４と、を含む。第２のトランスＴＲ２は、コア３３を、第１のトランスＴＲ１と共有する。１次巻線５３及び２次巻線５４は、コア３３に巻回されている。
【０１３２】
図９は、第３の実施の形態の電源装置のトランスのコアの一例を示す図である。詳しくは、図９は、コア３３の側面図である。コア３３は、いわゆるＥＩ型のコアである。コア３３は、第１部材（Ｅ型部材）３３ａと、第２部材（Ｉ型部材）３３ｂと、を含む。第１部材３３ａは、第１の脚（中脚）３３ａ１と、第２の脚（第１の側脚）３３ａ２と、第３の脚（第２の側脚）３３ａ３と、を有する。
【０１３３】
図１０は、第３の実施の形態の電源装置のトランスのコアの一例を示す図である。詳しくは、図１０は、コア３３の第１部材３３ａの上面図である。
【０１３４】
第１のトランスＴＲ１の１次巻線３１及び２次巻線３２は、第１の脚３３ａ１に巻回されている。第１のトランスＴＲ１の１次巻線３１及び２次巻線３２が第１の脚３３ａ１に巻回されているのは、第１のトランスＴＲ１の１次巻線３１及び２次巻線３２の電磁結合を強くして、絶縁型共振コンバータ１３の電力効率を高めるためである。
【０１３５】
第２のトランスＴＲ２の１次巻線５３及び２次巻線５４は、第２の脚３３ａ２に巻回された後、更に、第３の脚３３ａ３に巻回されている。これは、後述するように、第２のトランスＴＲ２の１次巻線５３及び２次巻線５４には、電源装置１の起動時にだけ電流が流れるので、定常時と異なり、コンバータ５０の電力効率を高める必要性が低いからである。
【０１３６】
このように、第２のトランスＴＲ２がコア３３を第１のトランスＴＲ１と共有することにより、部品点数の抑制、省スペース化、コスト抑制を図ることができる。
【０１３７】
また、第１のトランスＴＲ１の１次巻線３１及び２次巻線３２が巻回される第１の脚３３ａ１と、第２のトランスＴＲ２の１次巻線５３及び２次巻線５４が巻回される第２の脚３３ａ２及び第３の脚３３ａ３と、は異なる。
【０１３８】
更に、後述するように、第２のトランスＴＲ２の１次巻線５３及び２次巻線５４には、電源装置１の起動時にだけ電流が流れる。一方、第１のトランスＴＲ１の１次巻線３１及び２次巻線３２には、電源装置１の定常時にだけ電流が流れる。
【０１３９】
これにより、第２のトランスＴＲ２の１次巻線５３及び２次巻線５４が第１のトランスＴＲ１の１次巻線３１及び２次巻線３２に影響を与えることを抑制することができる。従って、第２のトランスＴＲ２の１次巻線５３及び２次巻線５４が絶縁型共振コンバータ１３の電力効率に影響を与えることを抑制することができる。
【０１４０】
なお、第１の実施の形態では、コア３３は、ＥＩ型のコアとしたが、本開示はこれに限定されない。コア３３は、ＥＥコア、ＥＥＲコア、ＥＩＲコア、ＰＱコアで例示される３つ脚コアであっても良い。
【０１４１】
図１１は、第３の実施の形態の電源装置のトランスのコアの他の例を示す図である。詳しくは、図１１は、いわゆるＥＥ型のコア３３Ａの側面図である。この場合も、第１のトランスＴＲ１の１次巻線３１及び２次巻線３２が中脚に巻回され、第２のトランスＴＲ２の１次巻線５３及び２次巻線５４が第１及び第２の側脚に巻回されることが、好ましい。
【０１４２】
また、コア３３は、３相トランスの場合、５つ脚コアであっても良い。
【０１４３】
図１２は、第３の実施の形態の電源装置のトランスのコアの他の例を示す図である。詳しくは、図１２は、５つ脚のコア３３Ｂの側面図である。この場合も、第１のトランスＴＲ１の巻線が３つの中脚に巻回され、第２のトランスＴＲ２の１次巻線５３及び２次巻線５４が第１及び第２の側脚に巻回されることが好ましい。
【０１４４】
なお、第３の実施の形態では、第２のトランスＴＲ２がコア３３を第１のトランスＴＲ１と共有することとしたが、本開示はこれに限定されない。第２のトランスＴＲ２は、コア３３と別個のコアを有することとしても良い。
【０１４５】
再び図８を参照し、電源装置１Ｂの説明に戻る。
【０１４６】
抵抗５１の一端は、第１の入力端子４１に電気的に接続されている。抵抗５１の他端は、１次巻線５３の一端に電気的に接続されている。抵抗５１は、１次巻線５３に大きな突入電流が流れることを抑制することができる。つまり、抵抗５１は、コンバータ５０に大きな突入電流が流れることを抑制することができる。
【０１４７】
なお、抵抗５１が存在することにより、コンバータ５０の電力効率の低下が懸念される。しかしながら、後述するように、コンバータ５０は、電源装置１の起動時だけ動作し、定常時は動作しない。従って、抵抗５１は、電源装置１の定常時には電力効率を低下させることはない。
【０１４８】
１次巻線５３の他端は、第７のスイッチ素子Ｑ７のドレインに電気的に接続されている。第７のスイッチ素子Ｑ７のソースは、基準電位に電気的に接続されている。
【０１４９】
第７のスイッチ素子Ｑ７がＮチャネル型ＭＯＳＦＥＴであることとしたが、本開示はこれに限定されない。第７のスイッチ素子Ｑ７は、シリコンパワーデバイス、ＧａＮパワーデバイス、ＳｉＣパワーデバイス、ＩＧＢＴなどでも良い。第７のスイッチ素子Ｑ７は、第７の寄生ダイオード（ボディダイオード）Ｄ７を有する。
【０１５０】
ダイオードＤ２１のアノードは、２次巻線５４の一端に電気的に接続されている。コンデンサ５２は、ダイオードＤ２１のカソードと、２次巻線５４の他端と、の間に電気的に接続されている。ダイオードＤ２１のカソードは、平滑コンデンサ１４の高電位側の端子に電気的に接続されている。コンデンサ５２は、コンバータ５０の出力電圧を平滑化する。
【０１５１】
制御部２０Ｂは、第１駆動部２１と、第２駆動部２２と、閾値電圧記憶部２３と、駆動制御部２４Ｂと、を含む。制御部２０Ｂは、ＣＰＵとプログラムを利用して、実現可能である。また、制御部２０Ｂは、ハードウェア回路で、実現可能である。
【０１５２】
第１駆動部２１は、入力電圧Ｖｉｎ及び出力電圧Ｖｏｕｔに基づいて、第１のスイッチ素子Ｑ１から第４のスイッチ素子Ｑ４までのゲート−ソース間の電圧を制御することにより、第１のスイッチ素子Ｑ１から第４のスイッチ素子Ｑ４までのスイッチング動作を制御する。第１駆動部２１は、ＰＷＭ信号である、第１のゲートパルス信号Ｐ１から第４のゲートパルス信号Ｐ４までを、第１のスイッチ素子Ｑ１から第４のスイッチ素子Ｑ４までのゲートに、夫々出力する。なお、第１のゲートパルス信号Ｐ１から第４のゲートパルス信号Ｐ４までには、デッドタイムが設定されている。デッドタイムは、１ｎｓから１０ｎｓ程度が例示されるが、本開示はこれに限定されない。
【０１５３】
第１駆動部２１は、第１のゲートパルス信号Ｐ１から第４のゲートパルス信号Ｐ４までのデューティやスイッチング周波数を変えることで、出力電圧Ｖｏｕｔを目標電圧に制御できる。
【０１５４】
第２駆動部２２は、入力電圧Ｖｉｎ及び出力電圧Ｖｏｕｔに基づいて、第７のスイッチ素子Ｑ７のゲート−ソース間の電圧を制御することにより、第７のスイッチ素子Ｑ７のスイッチング動作を制御する。第２駆動部２２は、ＰＷＭ信号である、第７のゲートパルス信号Ｐ７を、第７のスイッチ素子Ｑ７のゲートに出力する。
【０１５５】
第２駆動部２２は、第７のゲートパルス信号Ｐ７のデューティやスイッチング周波数を変えることで、コンバータ５０の出力電流及び出力電圧を制御できる。
【０１５６】
閾値電圧記憶部２３は、予め定められた閾値電圧Ｖｔｈを記憶する。閾値電圧Ｖｔｈは、有線通信又は無線通信経由で書き換え可能であっても良い。閾値電圧Ｖｔｈは、目標電圧と同じであることが例示されるが、本開示はこれに限定されない。閾値電圧Ｖｔｈは、目標電圧より低くても良いし、高くても良い。
【０１５７】
駆動制御部２４Ｂは、制御信号Ｓ０に基づいて、第１駆動部２１及び第２駆動部２２を制御する。
【０１５８】
［第１の実施の形態の電源装置の定常時の動作］
電源装置１Ｂの定常時の動作について、説明する。
【０１５９】
第１駆動部２１は、あるタイミングで、第１のスイッチ素子Ｑ１及び第４のスイッチ素子Ｑ４をオン状態に制御する。次に、第１駆動部２１は、デッドタイム経過後のタイミングで、第２のスイッチ素子Ｑ２及び第３のスイッチ素子Ｑ３をオン状態に制御する。第１駆動部２１は、上記の制御動作を繰り返す。これにより、１次巻線３１には、交流電圧が印加され、２次巻線３２には、交流電圧が発生する。ダイオードブリッジ３４は、２次巻線３２に発生した交流電圧を直流電圧に整流して、平滑コンデンサ１４に出力する。
【０１６０】
第１駆動部２１は、第１のゲートパルス信号Ｐ１から第４のゲートパルス信号Ｐ４までのデューティやスイッチング周波数を変えることで、出力電圧Ｖｏｕｔを目標電圧に制御できる。
【０１６１】
第２駆動部２２は、定常時には、コンバータ５０を動作させない。
【０１６２】
［第１の実施の形態の電源装置の起動時の動作］
電源装置１Ｂの起動時の動作について、説明する。
【０１６３】
図１３は、第３の実施の形態の電源装置の起動時の動作を示すフローチャートである。制御部２０Ｂは、制御信号Ｓ０が供給されたら、制御動作を開始する。
【０１６４】
駆動制御部２４Ｂは、ステップＳ３００において、制御信号Ｓ１を第２駆動部２２に出力する。第２駆動部２２は、制御信号Ｓ１が入力されたら、入力電圧Ｖｉｎを降圧した電圧を平滑コンデンサ１４に出力するように、コンバータ５０を動作させる。
【０１６５】
第２駆動部２２は、あるタイミングで、第７のスイッチ素子Ｑ７をオン状態に制御する。このとき、第１の入力端子４１→抵抗５１→１次巻線５３→第７のスイッチ素子Ｑ７→基準電位の経路に電流が流れる。このとき、抵抗５１によって１次電流が抑制されるので、コンバータ５０に大きな突入電流が流れることを抑制することができる。第２駆動部２２は、次のタイミングで、第７のスイッチ素子Ｑ７をオフ状態に制御する。第２駆動部２２は、上記の制御動作を繰り返す。
【０１６６】
コンバータ５０は、入力電圧Ｖｉｎを降圧した電圧を、平滑コンデンサ１４に出力する。これにより、平滑コンデンサ１４に電荷が蓄積される。
【０１６７】
駆動制御部２４Ｂは、ステップＳ３０２において、平滑コンデンサ１４の電圧が閾値電圧Ｖｔｈに達したか否かを判定し、達していないと判定した場合には（ステップＳ３０２でＮｏ）、ステップＳ３０２で待機する。駆動制御部２４Ｂは、平滑コンデンサ１４の電圧が閾値電圧Ｖｔｈに達したと判定した場合には（ステップＳ３０２でＹｅｓ）、処理をステップＳ３０４に進める。
【０１６８】
駆動制御部２４Ｂは、ステップＳ３０４において、制御信号Ｓ１の出力を終了するとともに、制御信号Ｓ２を第１駆動部２１に出力する。
【０１６９】
第２駆動部２２は、制御信号Ｓ１の入力が終了したら、コンバータ５０の動作を終了させる。詳しくは、第２駆動部２２は、第７のゲートパルス信号Ｐ７の出力を終了する。従って、コンバータ５０は、動作を終了する。
【０１７０】
一方、第１駆動部２１は、制御信号Ｓ２が駆動制御部２４Ｂから入力されたら、入力電圧Ｖｉｎを降圧した電圧を平滑コンデンサ１４に出力するように、絶縁型共振コンバータ１３を動作させる。第１駆動部２１は、第１のゲートパルス信号Ｐ１から第４のゲートパルス信号Ｐ４までを第１のスイッチ素子Ｑ１から第４のスイッチ素子Ｑ４までに夫々出力する。
【０１７１】
絶縁型共振コンバータ１３は、入力電圧Ｖｉｎを降圧した電圧を、平滑コンデンサ１４に出力する。このとき、平滑コンデンサ１４には電荷が蓄積されているので、突入電流が抑制される。
【０１７２】
その後、制御部２０Ｂは、定常時の動作に移行する。
【０１７３】
［第３の実施の形態の変形例の構成］
図１４は、第３の実施の形態の変形例の電源装置の構成を示す図である。電源装置１Ｃの構成要素のうち、電源装置１、１Ａ、１Ｂ、又は、１００と同一の構成要素については、同一の参照符号を付して、説明を省略する。
【０１７４】
電源装置１Ｃは、電源装置１Ｂと比較して、昇降圧コンバータ１６と、出力コンデンサ１７と、第３の電圧検出器１８と、を更に含む。
【０１７５】
絶縁型共振コンバータ１３が、本開示の「第１のコンバータ」に対応する。コンバータ５０が、本開示の「第２のコンバータ」に対応する。昇降圧コンバータ１６が、本開示の「第３のコンバータ」に対応する。
【０１７６】
絶縁型共振コンバータ１３が入力電圧Ｖｉｎを降圧した電圧が、本開示の「第１の電圧」に対応する。コンバータ５０が入力電圧Ｖｉｎを降圧した電圧が、本開示の「第２の電圧」に対応する。出力電圧Ｖｏｕｔが、本開示の「第３の電圧」に対応する。
【０１７７】
また、電源装置１Ｃは、電源装置１Ｂと比較して、制御部２０Ｂに代えて、制御部２０Ｃを含む。制御部２０Ｃは、制御部２０Ｂと比較して、第３駆動部２５を更に含む。
【０１７８】
絶縁型共振コンバータ１３は、入力電圧Ｖｉｎを降圧し、電圧Ｖｂｕｓを平滑コンデンサ１４に出力する。昇降圧コンバータ１６は、平滑コンデンサ１４の電圧Ｖｂｕｓを降圧し、出力電圧Ｖｏｕｔを負荷３に出力する。
【０１７９】
昇降圧コンバータ１６は、同期整流型の昇降圧チョッパとするが、本開示はこれに限定されない。昇降圧コンバータ１６は、降圧チョッパでも良い。
【０１８０】
第３駆動部２５は、平滑コンデンサ１４の電圧Ｖｂｕｓ及び出力電圧Ｖｏｕｔに基づいて、第５のスイッチ素子Ｑ５及び第６のスイッチ素子Ｑ６のゲート−ソース間の電圧を制御することにより、第５のスイッチ素子Ｑ５及び第６のスイッチ素子Ｑ６のスイッチング動作を制御する。第３駆動部２５は、ＰＷＭ信号である、第５のゲートパルス信号Ｐ５及び第６のゲートパルス信号Ｐ６を、第５のスイッチ素子Ｑ５及び第６のスイッチ素子Ｑ６のゲートに、夫々出力する。なお、第５のゲートパルス信号Ｐ５及び第６のゲートパルス信号Ｐ６には、デッドタイムが設定されている。デッドタイムは、１ｎｓから１０ｎｓ程度が例示されるが、本開示はこれに限定されない。
【０１８１】
第３駆動部２５は、第５のゲートパルス信号Ｐ５及び第６のゲートパルス信号Ｐ６のデューティやスイッチング周波数を変えることで、出力電圧Ｖｏｕｔを第２の目標電圧に制御できる。
【０１８２】
電源装置１Ｃの定常時の動作は、電源装置１及び１Ａの定常時の動作と同様であるので、説明を省略する。
【０１８３】
（第３の実施の形態の変形例の電源装置の起動時の動作）
電源装置１Ｃの起動時の動作について、説明する。
【０１８４】
図１５は、第３の実施の形態の変形例の電源装置の起動時の動作を示すフローチャートである。制御部２０Ｃは、制御信号Ｓ０が供給されたら、制御動作を開始する。
【０１８５】
ステップＳ４００及びＳ４０２は、第３の実施の形態のステップＳ３００及びＳ３０２と同様であるので、説明を省略する。
【０１８６】
駆動制御部２４Ｃは、ステップＳ４０４において、制御信号Ｓ２を第１駆動部２１及び第３駆動部２５に出力する。第１駆動部２１は、制御信号Ｓ２が駆動制御部２４Ｃから入力されたら、入力電圧Ｖｉｎを降圧した電圧を平滑コンデンサ１４に出力するように、絶縁型共振コンバータ１３を動作させる。第１駆動部２１は、第１のゲートパルス信号Ｐ１から第４のゲートパルス信号Ｐ４までを第１のスイッチ素子Ｑ１から第４のスイッチ素子Ｑ４までに夫々出力する。
【０１８７】
絶縁型共振コンバータ１３は、入力電圧Ｖｉｎを降圧した電圧を、平滑コンデンサ１４に出力する。このとき、平滑コンデンサ１４には電荷が蓄積されているので、突入電流が抑制される。
【０１８８】
第３駆動部２５は、制御信号Ｓ２が駆動制御部２４Ｃから入力されたら、平滑コンデンサ１４の電圧Ｖｂｕｓを降圧した電圧を負荷３に出力するように、昇降圧コンバータ１６を動作させる。第３駆動部２５は、第５のゲートパルス信号Ｐ５及び第６のゲートパルス信号Ｐ６を第５のスイッチ素子Ｑ５及び第６のスイッチ素子Ｑ６に夫々出力する。昇降圧コンバータ１６は、平滑コンデンサ１４の電圧を降圧した電圧を、負荷３に出力する。
【０１８９】
その後、制御部２０Ｃは、定常時の動作に移行する。
【０１９０】
［まとめ］
以上説明したように、電源装置１Ｂ及び１Ｃは、起動時に、入力電圧Ｖｉｎを降圧した電圧を平滑コンデンサ１４に出力して、平滑コンデンサ１４に電荷を蓄積する。これにより、電源装置１Ｂ及び１Ｃは、突入電流を抑制することができる。従って、電源装置１Ｂ及び１Ｃは、各素子（例えば、第１のスイッチ素子Ｑ１から第４のスイッチ素子Ｑ４）がダメージを受けることを抑制することができる。
【０１９１】
また、電源装置１Ｂ及び１Ｃは、第２のトランスＴＲ２がコア３３を第１のトランスＴＲ１と共有することにより、部品点数の抑制、省スペース化、コスト抑制を図ることができる。
【０１９２】
また、第１のトランスＴＲ１の１次巻線３１及び２次巻線３２が巻回される第１の脚３３ａ１と、第２のトランスＴＲ２の１次巻線５３及び２次巻線５４が巻回される第２の脚３３ａ２及び第３の脚３３ａ３と、が異なる。これにより、電源装置１Ｂは、第２のトランスＴＲ２の１次巻線５３及び２次巻線５４が絶縁型共振コンバータ１３の電力効率に影響を与えることを抑制することができる。
【０１９３】
また、電源装置１Ｂ及び１Ｃは、コンバータ５０が抵抗５１を備えることにより、抵抗５１によって１次巻線５３に大きな突入電流が流れることが抑制される。従って、電源装置１Ｂ及び１Ｃは、コンバータ５０に大きな突入電流が流れることを抑制することができる。
【０１９４】
＜第４の実施の形態＞
（第４の実施の形態の構成）
図１６は、第４の実施の形態の電源装置の構成を示す図である。電源装置１Ｄの構成要素のうち、電源装置１、１Ａ、１Ｂ、１Ｃ、又は、１００と同一の構成要素については、同一の参照符号を付して、説明を省略する。
【０１９５】
電源装置１Ｄは、電源装置１Ｂと比較して、制御部２０Ｂに代えて、制御部２０Ｄを含む。制御部２０Ｄは、制御部２０Ｂと比較して、閾値電圧記憶部２３に代えて、閾値時間記憶部２３Ａを含み、駆動制御部２４Ｂに代えて、駆動制御部２４Ｄを含む。
【０１９６】
絶縁型共振コンバータ１３が、本開示の「第１のコンバータ」に対応する。コンバータ５０が、本開示の「第２のコンバータ」に対応する。
【０１９７】
絶縁型共振コンバータ１３が入力電圧Ｖｉｎを降圧した電圧が、本開示の「第１の電圧」に対応する。コンバータ５０が入力電圧Ｖｉｎを降圧した電圧が、本開示の「第２の電圧」に対応する。
【０１９８】
電源装置１Ｄの定常時の動作は、電源装置１Ｂの定常時の動作と同様であるので、説明を省略する。
【０１９９】
（第４の実施の形態の電源装置の起動時の動作）
電源装置１Ｄの起動時の動作について、説明する。
【０２００】
図１７は、第４の実施の形態の電源装置の起動時の動作を示すフローチャートである。
【０２０１】
制御部２０Ｄは、制御信号Ｓ０が供給されたら、制御動作を開始する。
【０２０２】
駆動制御部２４Ｄは、ステップＳ５００において、制御信号Ｓ１を第２駆動部２２に出力する。第２駆動部２２は、制御信号Ｓ１が入力されたら、入力電圧Ｖｉｎを降圧した電圧を平滑コンデンサ１４に出力するように、コンバータ５０を動作させる。第２駆動部２２は、第７のゲートパルス信号Ｐ７を第７のスイッチ素子Ｑ７に出力する。
【０２０３】
コンバータ５０は、入力電圧Ｖｉｎを降圧した電圧を、平滑コンデンサ１４に出力する。これにより、平滑コンデンサ１４に電荷が蓄積される。
【０２０４】
駆動制御部２４Ｄは、ステップＳ５０２において、閾値時間Ｔｔｈが経過したか否かを判定し、経過していないと判定した場合には（ステップＳ５０２でＮｏ）、ステップＳ５０２で待機する。駆動制御部２４Ｄは、閾値時間Ｔｔｈが経過したと判定した場合には（ステップＳ５０２でＹｅｓ）、処理をステップＳ５０４に進める。
【０２０５】
駆動制御部２４Ｄは、ステップＳ５０４において、制御信号Ｓ１の出力を終了するとともに、制御信号Ｓ２を第１駆動部２１に出力する。
【０２０６】
第２駆動部２２は、制御信号Ｓ１の入力が終了したら、コンバータ５０の動作を終了させる。詳しくは、第２駆動部２２は、第７のゲートパルス信号Ｐ７の出力を終了する。従って、コンバータ５０は、動作を終了する。
【０２０７】
一方、第１駆動部２１は、制御信号Ｓ２が駆動制御部２４Ｄから入力されたら、入力電圧Ｖｉｎを降圧した電圧を平滑コンデンサ１４に出力するように、絶縁型共振コンバータ１３を動作させる。第１駆動部２１は、第１のゲートパルス信号Ｐ１から第４のゲートパルス信号Ｐ４までを第１のスイッチ素子Ｑ１から第４のスイッチ素子Ｑ４までに夫々出力する。
【０２０８】
絶縁型共振コンバータ１３は、入力電圧Ｖｉｎを降圧した電圧を、平滑コンデンサ１４に出力する。このとき、平滑コンデンサ１４には電荷が蓄積されているので、突入電流が抑制される。
【０２０９】
その後、制御部２０Ｄは、定常時の動作に移行する。
【０２１０】
［第４の実施の形態の変形例の構成］
図１８は、第４の実施の形態の変形例の電源装置の構成を示す図である。電源装置１Ｅの構成要素のうち、電源装置１、１Ａ、１Ｂ、１Ｃ、１Ｄ、又は、１００と同一の構成要素については、同一の参照符号を付して、説明を省略する。
【０２１１】
電源装置１Ｅは、電源装置１Ｄと比較して、昇降圧コンバータ１６と、出力コンデンサ１７と、第３の電圧検出器１８と、を更に含む。
【０２１２】
また、電源装置１Ｅは、電源装置１Ｄと比較して、制御部２０Ｄに代えて、制御部２０Ｅを含む。制御部２０Ｅは、制御部２０Ｄと比較して、駆動制御部２４Ｄに変えて駆動制御部２４Ｅを含み、第３駆動部２５を更に含む。
【０２１３】
絶縁型共振コンバータ１３が、本開示の「第１のコンバータ」に対応する。コンバータ５０が、本開示の「第２のコンバータ」に対応する。昇降圧コンバータ１６が、本開示の「第３のコンバータ」に対応する。
【０２１４】
絶縁型共振コンバータ１３は、入力電圧Ｖｉｎを降圧し、電圧Ｖｂｕｓを平滑コンデンサ１４に出力する。昇降圧コンバータ１６は、平滑コンデンサ１４の電圧Ｖｂｕｓを降圧し、出力電圧Ｖｏｕｔを負荷３に出力する。
【０２１５】
絶縁型共振コンバータ１３が入力電圧Ｖｉｎを降圧した電圧が、本開示の「第１の電圧」に対応する。コンバータ５０が入力電圧Ｖｉｎを降圧した電圧が、本開示の「第２の電圧」に対応する。出力電圧Ｖｏｕｔが、本開示の「第３の電圧」に対応する。
【０２１６】
昇降圧コンバータ１６は、同期整流型の昇降圧チョッパとするが、本開示はこれに限定されない。昇降圧コンバータ１６は、降圧チョッパでも良い。
【０２１７】
電源装置１Ｅの定常時の動作は、電源装置１Ｃの定常時の動作と同様であるので、説明を省略する。
【０２１８】
（第４の実施の形態の変形例の電源装置の起動時の動作）
電源装置１Ｅの起動時の動作について、説明する。
【０２１９】
図１９は、第４の実施の形態の変形例の電源装置の起動時の動作を示すフローチャートである。制御部２０Ｅは、制御信号Ｓ０が供給されたら、制御動作を開始する。
【０２２０】
ステップＳ６００及びＳ６０２は、第４の実施の形態のステップＳ５００及びＳ５０２と同様であるので、説明を省略する。
【０２２１】
駆動制御部２４Ｅは、ステップＳ６０４において、制御信号Ｓ２を第１駆動部２１及び第３駆動部２５に出力する。第１駆動部２１は、制御信号Ｓ２が駆動制御部２４Ｅから入力されたら、入力電圧Ｖｉｎを降圧した電圧を平滑コンデンサ１４に出力するように、絶縁型共振コンバータ１３を動作させる。第１駆動部２１は、第１のゲートパルス信号Ｐ１から第４のゲートパルス信号Ｐ４までを第１のスイッチ素子Ｑ１から第４のスイッチ素子Ｑ４までに夫々出力する。
【０２２２】
絶縁型共振コンバータ１３は、入力電圧Ｖｉｎを降圧した電圧を、平滑コンデンサ１４に出力する。このとき、平滑コンデンサ１４には電荷が蓄積されているので、突入電流が抑制される。
【０２２３】
第３駆動部２５は、制御信号Ｓ２が駆動制御部２４Ｅから入力されたら、平滑コンデンサ１４の電圧Ｖｂｕｓを降圧した電圧を負荷３に出力するように、昇降圧コンバータ１６を動作させる。第３駆動部２５は、第５のゲートパルス信号Ｐ５及び第６のゲートパルス信号Ｐ６を第５のスイッチ素子Ｑ５及び第６のスイッチ素子Ｑ６に夫々出力する。昇降圧コンバータ１６は、平滑コンデンサ１４の電圧を降圧した電圧を、負荷３に出力する。
【０２２４】
その後、制御部２０Ｅは、定常時の動作に移行する。
【０２２５】
（まとめ）
以上説明したように、電源装置１Ｄ及び１Ｅは、起動時に、入力電圧Ｖｉｎを降圧した電圧を平滑コンデンサ１４に出力して、平滑コンデンサ１４に電荷を蓄積する。これにより、電源装置１Ｄ及び１Ｅは、突入電流を抑制することができる。従って、電源装置１Ｄ及び１Ｅは、各素子（例えば、第１のスイッチ素子Ｑ１から第４のスイッチ素子Ｑ４）がダメージを受けることを抑制することができる。
【０２２６】
また、電源装置１Ｄ及び１Ｅは、駆動制御部２４Ｄ及び２４Ｅが平滑コンデンサ１４の電圧を監視する必要をなくすことができる。これにより、電源装置１Ｄ及び１Ｅは、制御を簡素化することができる。
【０２２７】
本発明のいくつかの実施の形態を説明したが、これらの実施の形態は、例として提示したものであり、発明の範囲を限定することは意図していない。これら実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれると同様に、特許請求の範囲に記載された発明とその均等の範囲に含まれるものである。
【符号の説明】
【０２２８】
１、１Ａ、１Ｂ、１Ｃ、１Ｄ、１Ｅ  電源装置
２  電源
３  負荷
１１  入力コンデンサ
１２  第１の電圧検出器
１３  絶縁型共振コンバータ
１４  平滑コンデンサ
１５  第２の電圧検出器
１６  昇降圧コンバータ
１７  出力コンデンサ
１８  第３の電圧検出器
２０、２０Ａ、２０Ｂ、２０Ｃ、２０Ｄ、２０Ｅ  制御部
２１  第１駆動部
２２  第２駆動部
２３  閾値電圧記憶部
２３Ａ  閾値時間記憶部
２４、２４Ａ、２４Ｂ、２４Ｄ、２４Ｅ  駆動制御部
２５  第３駆動部
３１、５３  １次巻線
３２、５４  ２次巻線
３３  コア
３４  ダイオードブリッジ
４１  第１の入力端子
４２  第２の入力端子
４３  第１の出力端子
４４  第２の出力端子
５０  コンバータ
５１  抵抗
５２  コンデンサ
Ｄ１１  第１のダイオード
Ｄ１２  第２のダイオード
Ｄ１３  第３のダイオード
Ｄ１４  第４のダイオード
Ｄ２１  ダイオード
Ｌ１  インダクタ
Ｎ１  第１のノード
Ｎ２  第２のノード
Ｑ１  第１のスイッチ素子
Ｑ２  第２のスイッチ素子
Ｑ３  第３のスイッチ素子
Ｑ４  第４のスイッチ素子
Ｑ５  第５のスイッチ素子
Ｑ６  第６のスイッチ素子
Ｑ７  第７のスイッチ素子
ＴＲ１  第１のトランス
ＴＲ２  第２のトランス
【図１】
2020114102.tif 000003
【図２】
2020114102.tif 000004
【図３】
2020114102.tif 000005
【図４】
2020114102.tif 000006
【図５】
2020114102.tif 000007
【図６】
2020114102.tif 000008
【図７】
2020114102.tif 000009
【図８】
2020114102.tif 000010
【図９】
2020114102.tif 000011
【図１０】
2020114102.tif 000012
【図１１】
2020114102.tif 000013
【図１２】
2020114102.tif 000014
【図１３】
2020114102.tif 000015
【図１４】
2020114102.tif 000016
【図１５】
2020114102.tif 000017
【図１６】
2020114102.tif 000018
【図１７】
2020114102.tif 000019
【図１８】
2020114102.tif 000020
【図１９】
2020114102.tif 000021